【手続補正書】
【提出日】平成17年2月1日(2005.2.1)
【手続補正１】
【補正対象書類名】明細書
【補正対象項目名】全文
【補正方法】変更
【補正の内容】
【書類名】          明細書
【発明の名称】      遊技機
【特許請求の範囲】
【請求項１】  遊技機枠に交換可能な状態で装着された遊技盤と、
遊技盤の交換時に遊技盤と共に交換される遊技盤固有基板と、
遊技盤の交換に拘らず継続使用可能な共通基板と、
前記遊技盤固有基板及び共通基板を電気的に接続し、両端部に配線側コネクタが設けられ、遊技盤固有基板及び共通基板に対して離脱可能な配線と、
を備えた遊技機において、
前記共通基板は、ボックス底部にボックス蓋部を開閉可能に係止して構成された共通基板ボックスに内包され、
前記ボックス蓋部には、前記共通基板に配設されて配線側コネクタを嵌着可能な基板側コネクタに対応した位置に開口部を設け、
前記配線は、配線側コネクタを挿通不能な配線開口部を開設したコネクタカバー部材に、前記配線開口部を通じて貫通され、
前記配線側コネクタを前記基板側コネクタに嵌着させた状態で前記コネクタカバー部材を前記ボックス蓋部に止着することにより、共通基板に接続されている配線が通常取り外し操作によっては取り外されることなく当該配線が継続使用されるようにしたことを特徴とする遊技機。
【発明の詳細な説明】
【０００１】
【発明の属する技術分野】
本発明は、パチンコ遊技機等の遊技機に関し、特に遊技盤交換時に遊技盤と共に交換する基板と、遊技盤交換に拘らず継続使用する基板と、これらの基板にコネクタを介して電気的に接続する配線とを備える遊技機に関する。
【０００２】
【従来の技術】
従来の代表的な遊技機であるパチンコ遊技機を例に挙げて説明すると、通常、パチンコ遊技機を設置した遊技店にて台の入れ替えを行う場合には、遊技機枠に交換可能な状態で装着された遊技盤や、遊技盤上の可変表示装置の画像表示を制御する表示制御装置、発光装飾部材の発光を制御する装飾制御装置、遊技に伴う効果音を制御する音制御装置、遊技盤にて行われる遊技の統括的な制御、即ち他の制御装置に対する制御をも行う遊技制御装置を、別途用意した新遊技盤や、この新遊技盤に対応した各種制御装置に交換する。
そして、遊技機枠等の他、遊技球の発射に関する制御を行う発射制御装置、遊技球の排出に関する排出制御装置、パチンコ遊技機に備えられた各制御装置に対して電源を供給する電源装置は、共通部品としてそのまま継続使用するようにしている。
【０００３】
【発明が解決しようとする課題】
ところで、上記した表示制御装置、装飾制御装置、音制御装置、遊技制御装置は、コネクタを介して接続した配線により電源装置等と電気的にそれぞれ接続され、このようにして電源装置から各制御装置へ電源を供給したり、可変表示装置や発光装飾部材等の制御対象部を、遊技状態に応じて制御したりできるようにしている。そして、台の入れ替え作業においては、上記したコネクタを取り外して各制御装置から配線を離脱させ、その後、各制御装置を交換する。
しかし、例えば、電源装置側のコネクタを取り外して配線を離脱すると、配線は、交換後に処分する制御装置側に接続された状態になってしまうため、本来共通部品として使用可能な配線が、不用品として廃棄されてしまう虞がある。したがって、各制御装置の交換後、直ちに各制御装置と電源装置との接続を行うことができず、台の入れ替え作業に時間が掛かってしまうことが予想される。この台の入れ替え作業は、一度に多数のパチンコ遊技機に対して行われることが多く、尚且つ、営業終了時から次の営業開始時までの限られた時間で行なわれている。そのため、台の入れ替え作業に支障を生じる可能性のある事象を解消して、台の入れ替え作業をできるだけ効率良く行えるようにすることが求められていた。そして、既存の配線をパチンコ遊技機から取り外してしまうと、新品の配線を別途準備する必要があるので、台の入れ替えにかかるコストを上げてしまうことも懸念されていた。
【０００４】
また、排出制御装置や発射制御装置も、コネクタを介して接続した配線により電源装置と電気的にそれぞれ接続され、このようにして、電源装置から各制御装置へ電源を供給したり、球排出機構や発射装置等の制御対象部を、遊技状態に応じて制御したりできるようにしている。そして、これらの配線も、排出制御装置や発射制御装置に着脱可能に取り付けられていので、前記遊技盤の交換の際に、排出制御装置や発射制御装置に接続された配線を離脱する必要が無くても、誤ってコネクタを取り外してこれらの配線を離脱してしまう虞があり、再び配線を接続する手間が生じることになるので、台の入れ替え作業に支障を与えることになり兼ねなかった。
【０００５】
本発明は上記した事情に鑑み提案されたもので、その目的は、遊技盤交換の際に、電源装置等交換せずにそのまま継続使用する共通部品から、コネクタを介して接続した配線が取り外されないようにした遊技機を提供しようとするものである。
【０００６】
【課題を解決するための手段】
本発明は上記目的を達成するために提案されたもので、請求項１に記載のものは、遊技機枠に交換可能な状態で装着された遊技盤と、
遊技盤の交換時に遊技盤と共に交換される遊技盤固有基板と、
遊技盤の交換に拘らず継続使用可能な共通基板と、
前記遊技盤固有基板及び共通基板を電気的に接続し、両端部に配線側コネクタが設けられ、遊技盤固有基板及び共通基板に対して離脱可能な配線と、
を備えた遊技機において、
前記共通基板は、ボックス底部にボックス蓋部を開閉可能に係止して構成された共通基板ボックスに内包され、
前記ボックス蓋部には、前記共通基板に配設されて配線側コネクタを嵌着可能な基板側コネクタに対応した位置に開口部を設け、
前記配線は、配線側コネクタを挿通不能な配線開口部を開設したコネクタカバー部材に、前記配線開口部を通じて貫通され、
前記配線側コネクタを前記基板側コネクタに嵌着させた状態で前記コネクタカバー部材を前記ボックス蓋部に止着することにより、共通基板に接続されている配線が通常取り外し操作によっては取り外されることなく当該配線が継続使用されるようにしたことを特徴とする遊技機である。
【０００７】
なお、本発明において、遊技盤固有基板とは、遊技盤の機種毎に異なる機能（効果音の生成、画像の表示等）を制御するための基板を示す。具体的には、装飾制御装置に備えられた装飾制御基板、表示制御装置に備えられた表示制御基板、音制御装置に備えられた音制御基板、遊技制御装置に備えられた遊技制御基板を示す。
また、共通基板とは、遊技機の遊技に伴う機能のうち、遊技盤固有基板の制御する機能とは別の機能を制御するための基板を示す。具体的には、電源装置に備えられた電源基板、発射制御装置に備えられた発射制御基板、排出制御装置に備えられた排出制御基板を示す。
そして、通常取り外し操作とは、コネクタの接続構造に合わせて、取り外しの際に通常行われる操作である。例えば、ゆるみ止めねじやレバーが付加されているコネクタの場合には、ねじやレバーを外してからコネクタを引き抜く一連の取り外し操作を示す。
【０００８】
【発明の実施の形態】
以下、本発明の一実施形態を図面に基づいて説明する。
図１は、代表的な遊技機であるパチンコ遊技機１とカード球貸ユニット２の正面図であり、図２は、その背面図である。
【０００９】
パチンコ遊技機１は、大きな開口部を有する額縁状前面枠３の裏面に遊技盤収納フレーム４を固定し、該遊技盤収納フレーム４内に遊技盤５を着脱可能に装着し、遊技盤５の表面には、表示装置６、大入賞口７、一般入賞口８、…などを配設した遊技領域９を形成するとともに、左右上側に装飾ランプ１０を備え、ガラス枠１１の下の開閉パネル１２には上皿１３を、前面枠３の下部中央に下皿１４を、下皿１４の右側に発射操作ハンドル１５を、左側に灰皿１６をそれぞれ設けてある。
【００１０】
一方、カード球貸ユニット２には、前面のカード挿入部２０に挿入されたプリペイドカードのデータの読込・書込等を行うカードリーダライタと制御装置とが内蔵されている（何れも図示せず）。そして、このカード球貸ユニット２用の操作パネル２１は前記上皿１３に設けられ、該操作パネル２１にはカード残高表示部２２、球貸スイッチ２３、カード返却スイッチ２４等が設けられている。
【００１１】
パチンコ遊技機１の裏側には、図２に示すように、裏機構盤３０を取り付けてあり、この裏機構盤３０における上部には、貸し球あるいは賞球として使用する遊技球を貯留する球貯留タンク３１を設ける。球貯留タンク３１の下方には、球貯留タンク３１から導出した遊技球を整列させながら流下案内する球導出樋３２を設け、この球導出樋３２の出口に連通させて遊技球を貸し球や賞球として排出する球排出ユニット３３を配設する。
【００１２】
この球排出ユニット３３の下側には、流路切換ユニット３４を球排出ユニット３３の球出口に連通させて設けてあり、流路切換ユニット３４から排出された遊技球は、貸し球や賞球として上皿１３や下皿１４側に流下案内される。
【００１３】
また、パチンコ遊技機１裏面の上下中央から少し上方であって左右略中央には、遊技盤５に取り付けられた表示装置６の後部が位置する。この他に、パチンコ遊技機１裏面には、パチンコ遊技機１における各種の制御を行う制御装置と、外部電源（図示せず）からパチンコ遊技機１で使用する各種電圧の直流電源を生成する電源装置４０と、発射位置の遊技球を遊技領域９に向けて弾発する発射装置４１とを設けてある。なお、電源装置４０については後に詳述する。
【００１４】
制御装置は、機能別に分けられて、遊技制御装置４２、表示制御装置４３、装飾制御装置４４、音制御装置４５、排出制御装置４６、および発射制御装置４７から構成され、接続ケーブル等の配線により各制御装置を、配線端部に設けたコネクタを介して電気的に接続している。
【００１５】
そして、遊技制御装置４２は、遊技の統括的な制御を行う制御装置である。表示制御装置４３は、表示装置６の画像表示を制御する制御装置であり、表示装置６に電源を供給している。装飾制御装置４４は、装飾ランプ１０等の発光装飾部材の発光を制御する制御装置であり、この発光装飾部材に電源を供給している。音制御装置４５は、効果音を生成する等、効果音に関する制御を行う制御装置である。排出制御装置４６は、上記した球排出ユニット３３の制御、より詳しくは、遊技制御装置４２等からの信号に基づいてモータ（図示せず）の回転を制御し、所定数の遊技球を貸し球あるいは賞球として排出させる制御装置である。発射制御装置４７は、発射操作ハンドル１５の回動量に応じて発射装置４１を制御し、回動量に対応した強さで遊技球を発射させる制御装置である。
【００１６】
また、各制御装置は、図３の電源供給関係図に示すように、外部電源から電力供給を受ける電源装置４０と電気的に接続し、電源装置４０から遊技機能の制御に必要な各種電圧の直流電源を供給される。具体的には、遊技制御装置４２に備えられた遊技制御基板、表示制御装置４３に備えられた表示制御基板、装飾制御装置４４に備えられた装飾制御基板、音制御装置４５に備えられた音制御基板、発射制御装置４７に備えられた発射制御基板、および排出制御装置４６に備えられた排出制御基板を、電源装置４０に備えられた電源基板に、両端部にコネクタを設けた配線をそれぞれ用いて電気的に接続する（いずれも図示せず）。なお、遊技制御装置４２と排出制御装置４６との間などのように、制御装置同士を信号用配線によって接続するが、信号用配線も同様に実施できるので、本実施形態では、電源供給用の配線について説明する。
【００１７】
そして、このように機能別に分けられた制御装置のうち、遊技制御装置４２、表示制御装置４３、装飾制御装置４４、および音制御装置４５は、台の入れ替えに伴って遊技盤５と共に交換される。したがって、遊技制御基板、表示制御基板、装飾制御基板、および音制御基板は、本発明における遊技盤固有基板に相当する。一方、排出制御装置４６および発射制御装置４７は、台の入れ替えに拘わらず共通に使用できる制御装置であり、また、上記した電源装置４０も台の入れ替えに拘らず共通に使用できる部品である。したがって、発射制御基板、排出制御基板、および電源基板は、本発明における共通基板に相当する。なお、図４は、台の入れ替え時に交換する遊技盤５および制御装置４２，４３，４４，４５を取り外した状態を示したものであり、上記した排出制御装置４６、発射制御装置４７、および電源装置４０がパチンコ遊技機１裏面に残されている。
【００１８】
次に電源装置４０について説明する。
電源装置４０は、前述のとおり、外部電源からパチンコ遊技機１で使用する各種電圧の直流電源を生成するためのものであり、図５に示すように、各制御装置４２〜４７と電気的に接続するためのコネクタ５０…（本発明の共通基板側コネクタに相当）を複数配設した電源基板５１を、縦長の電源基板ボックス５２（本発明の共通基板ボックスに相当）に内包させて概略構成される。
【００１９】
この電源基板ボックス５２は、前後に分割して、前部をボックス蓋部５３、後部をボックス底部５４とし、下部に設けた係止片５５と上部に設けた止め具５６とによって、ボックス蓋部５３をボックス底部５４に開閉可能に係止して構成される。そして、ボックス蓋部５３前面下部には、前記コネクタ５０を覆うコネクタカバー部材５７（本発明の接続状態維持手段、コネクタ接続状態維持機構に相当）をねじ等で止着してある。また、電源基板ボックス５２の背面側（遊技盤５側）には、金属プレート等の導電性プレート５８（図６（ａ）参照）を設けて、電源基板５１からのノイズが遊技盤５や各制御装置に伝達することを防止している。
なお、本実施形態では、電源基板５１に配設されたコネクタ５０を雄コネクタ５０ａ（本発明における基板側コネクタに相当）とし、配線端部に設けたコネクタ５０を雌コネクタ５０ｂ（本発明における配線側コネクタに相当）として説明を進めるが、本発明は、これに限らず、電源基板５１側のコネクタ５０を雌コネクタ、配線端部側のコネクタ５０を雄コネクタとしてもよい。
【００２０】
電源基板５１は、ボックス蓋部５３側に向いた表面の下側にバックアップデータリセットスイッチ５９を設けると共に、６個の雄コネクタ５０ａ…を上下２段に分けて配設し、上段には４個、下段には２個の雄コネクタ５０ａ…をそれぞれ横に並べた状態で配設する。そして、上段には、前記した４種類の遊技盤固有基板からの配線６０ａ…を接続し、下段には、前記した２種類の共通基板からの配線６０ｂ…を接続する。
【００２１】
このようにすると、一端を電源基板５１に接続された配線６０が、他端を遊技盤固有基板に接続される配線６０ａであるか、それとも共通基板に接続される配線６０ｂであるかを一目にして判別することができる。なお、上記コネクタの上下段方向の配列順序はこれに限らず、上記したものと逆の配列、即ち、上段に２個の共通基板用コネクタ、下段に４個の遊技盤固有基板用コネクタを配設してもよい。また、電源基板５１に配設されたコネクタの数は、前記した基板の数と合わせて６個とするが、電源基板５１に接続する基板に対応できればよい。
【００２２】
ボックス蓋部５３は、前面下側に一段後退して形成された平面５３ａに、横長矩形状の開口部５３ｂを開設すると共に、該開口部５３ｂの左側には、バックアップデータリセットスイッチ用開口部５３ｃを開設してある。なお、前記両開口部５３ｂ，５３ｃは、電源基板５１の雄コネクタ５０ａおよびバックアップデータリセットスイッチ５９の配置に対応した位置に開設する。したがって、電源基板５１を電源基板ボックス５２に内包したまま、電源基板５１上の雄コネクタ５０ａに配線６０端部の雌コネクタ５０ｂを嵌着することができる。また、バックアップデータリセットスイッチ５９の先端に備えた押釦部をボックス蓋部５３の平面５３ａから突出させることができ、したがって、電源基板５１を電源基板ボックス５２に内包したまま、バックアップデータリセットスイッチ５９を操作することができる。
【００２３】
そして、電源基板ボックス５２の下部に係止片５５を垂直下方に延設し、上部にはワンタッチ式の止め具５６を設けてあるので、上記係止片５５を裏機構盤３０の係止受部（図示せず）に係合した後に止め具５６の先端を裏機構盤３０の止め孔（図示せず）内に嵌合し、止め具５６の操作部を押圧すると、電源基板ボックス５２を裏機構盤３０に取り付けることができる。したがって、電源基板５１は、遊技盤５との間にボックス底部５４および導電性プレート５８を介在させた状態で対向して配置される。言い換えると、電源基板５１は遊技盤５と重合して配置される。
【００２４】
さらに、電源基板ボックス５２は、前述のとおり、図６（ａ）に示すように、ボックス蓋部５３の平面５３ａに、開口部５３ｂおよびコネクタ５０…を覆うようにコネクタカバー部材５７を取り付ける。このコネクタカバー部材５７は、図６（ｂ）に示すように、後面を開口した横長の箱形状の部材であり、前面に逆コの字状の挿通開口部６５を開設する。そして、コネクタカバー部材５７の左右側面の後端に耳片６６，６６をそれぞれ突出させ、この耳片６６，６６にコネクタカバー部材５７止着用の孔６７，６７を開設する。
【００２５】
挿通開口部６５のうち、図中左側にて縦長に形成したコネクタ開口部６８は、配線６０端部の雌コネクタ５０ｂを縦向きにしつつ雌コネクタ５０ｂ先端部をコネクタカバー部材５７の後面側（内部）に向けた状態で貫通できるようにしてある。また、コネクタ開口部６８の右端上部および右端下部には、横長に形成された配線開口部６９，６９をそれぞれ連設し、縦方向の開口幅寸法を、雌コネクタ５０ｂの厚さよりも小さく、尚且つ、配線６０の厚さ又は太さよりも大きい寸法にしてある。要するに、配線開口部６９は、配線６０を貫通させることができるが、雌コネクタ５０ｂの貫通を阻止する幅（すなわち雌コネクタ５０ｂを挿通不能とする大きさ）で開口されている。
【００２６】
さらに、コネクタカバー部材５７は、後面から前部裏面までの高さを、雌コネクタ５０ｂの電源基板ボックス５２表面から突出した部分の長さと同程度の寸法にしている。このようにすることで、コネクタカバー部材５７を電源基板ボックス５２へ止着したときに、コネクタカバー部材５７の前部裏面が雌コネクタ５０ｂの配線引出面に当接するようにしている。
【００２７】
次に、上記のようなコネクタカバー部材５７を電源装置４０に取り付ける手順を説明する。
先ず、配線６０端部に設けた雌コネクタ５０ｂを、コネクタカバー部材５７のコネクタ開口部６８に、コネクタカバー部材５７の前面側から通して、配線６０をコネクタカバー部材５７のコネクタ開口部６８を貫通する状態にする。このとき、配線６０は、電源基板５１上の複数の雄コネクタ５０ａ…のうち、右側の雄コネクタ５０ａに接続するものから順に通していくことが好ましい。
そして、接続しようとする電源基板５１上の雄コネクタ５０ａ位置に対応させるため、コネクタカバー部材５７に貫通させた配線６０を、上段の配線開口部６９または下段の配線開口部６９に沿って移動させる。その後、配線開口部６９に移動させた配線６０の端部の雌コネクタ５０ｂを雄コネクタ５０ａに嵌着する。
これら一連の作業を、電源装置４０の雄コネクタ５０ａ…に接続する全ての配線６０…について順次行い、全ての配線６０…がコネクタカバー部材５７の配線開口部６９，６９を貫通して電源基板５１と接続している状態にする。
【００２８】
そして、コネクタカバー部材５７を配線６０に沿って雌コネクタ５０ｂ側に移動し、雌コネクタ５０ｂを覆うようにして後端をボックス蓋部５３の平面５３ａに当接し、この状態で耳片６６の孔６７内にねじを挿入し、ねじを締め込むことにより、コネクタカバー部材５７をボックス蓋部５３に止着する。
【００２９】
このようにして、電源装置４０にコネクタカバー部材５７を取り付けると、コネクタカバー部材５７が雌コネクタ５０ｂを覆うので、雌コネクタ５０ｂを直接指で摘むことができない。このため、雌コネクタ５０ｂを直接指で摘んで雄コネクタ５０ａから引き抜くという操作（通常取り外し操作）を行うこと阻止することができる。
また、コネクタカバー部材５７の内部上面が雌コネクタ５０ｂの配線引出面の一部に当接しているので、配線６０を持って雌コネクタ５０ｂを引き抜こうとしても引き抜きを阻止することができる。つまり、コネクタカバー部材５７を取り付けると、電源基板５１に接続されたコネクタ５０…の接続状態を維持することができる。
【００３０】
したがって、例えば、遊技盤５を交換する際に、交換作業者が電源装置４０側から配線６０を取り外そうとしても取り外すことができないので、遊技盤固有基板側から配線６０を取り外す（離脱する）ことになる。そして、配線６０は、共通基板である電源基板５１側、つまり、電源装置４０側に残ることになり、新しい遊技盤５および遊技盤固有基板に交換した後も継続して使用されるようにすることができる。また、遊技中に電源基板５１から配線６０を取り外して、制御装置への電源供給を遮断してしまうという不正行為を防ぐことができる。
【００３１】
なお、コネクタカバー部材５７はワンピースで構成した上記実施形態に限られない。例えば、複数の部品（例えば、２つのピース）に分割してコネクタカバー部材５７を構成してもよい。この場合、配線６０を貫通させる開口部で分割し、複数の部品にそれぞれ設けた切欠部を対向させることにより、開口部が形成されるように構成すると、配線６０を切欠部で挟むようにするだけで開口部を貫通させることができる。したがって、雌コネクタ５０ｂを電源基板５１の雄コネクタ５０ａに接続した後にコネクタカバー部材５７で覆うことができ、電源装置４０組立時にコネクタカバー部材５７の取付作業を簡易化し、組立作業の効率を向上させるようにすることができる。
【００３２】
また、上記実施形態では、コネクタカバー部材５７を採用し、このコネクタカバー部材５７を本発明の接続状態維持手段、詳しくは、接続状態維持手段の下位概念であるコネクタ接続状態維持機構として本発明の実施形態を説明した。即ち、コネクタカバー部材５７を電源基板５１に取り付けてコネクタ５０の接続状態を維持するようにした。
【００３３】
しかし、本実施形態では、これに限らず、コネクタ接続状態維持機構、即ち、接続状態維持手段にコネクタカバー部材５７とは別の機構を採用してもよい。例えば、図７（ａ）に示すように、一対の爪部材７５，７５を用いてコネクタ５０の接続を維持するようにしてもよい。この爪部材７５は、弾性変形可能な部材からなり、電源基板５１から立設してコネクタ５０の上下側面にそれぞれ沿うように配置され、先端に雌コネクタ５０ｂを引っ掛ける爪先７５ａを有して構成される。そして、爪先７５ａは、雌コネクタ５０ｂの配線引出面に当接する当接面を備えている。
【００３４】
このような爪部材７５を電源基板５１上の雄コネクタ５０ａ周辺に備えると、雌コネクタ５０ｂを雄コネクタ５０ａに嵌着する際に、一対の爪部材７５，７５が雌コネクタ５０ｂの先端に押されて外側に歪み、上下に押し広げられて、両爪先７５ａ，７５ａが雌コネクタ５０ｂ上下側面を付勢する。そして、爪先７５ａを雌コネクタ５０ｂ上下側面に付勢したまま、雌コネクタ５０ｂを雄コネクタ５０ａに完全に嵌着するまで押し込むと、爪先７５ａが雌コネクタ５０ｂ上下側面から外れると共に、爪部材７５の歪みが取れて元の形に戻り、爪先７５ａ，７５ａの当接面が常に雌コネクタ５０ｂの配線引出面に当接する状態になる。したがって、雌コネクタ５０ｂを直接指で摘んで、雄コネクタ５０ａから引き抜こうとしたり、配線６０を掴んで雌コネクタ５０ｂを雄コネクタ５０ａから引き抜こうとしたりしても、雌コネクタ５０ｂに爪先７５ａが引っ掛かっているので、雌コネクタ５０ｂを雄コネクタ５０ａから引き抜くことを阻止することができる。なお、電源基板５１側に雌コネクタを設け、配線６０端部側に雄コネクタを設けた場合でも、同様に爪部材７５を採用することができる。
【００３５】
また、図７（ｂ）に示すように、コネクタ接続状態維持機構として、即ち、接続状態維持手段として、電源基板５１に固定できるフランジ付雌コネクタ７６、即ち、フランジ付コネクタを用いてもよい。このフランジ付雌コネクタ７６は、先端部周辺にフランジ７６ａを備えたものであり、フランジ７６ａには電源基板５１と当接する当接面７６ｂと、フランジ７６ａを厚さ方向に貫通する孔７６ｃとが設けられている。このようなフランジ付雌コネクタ７６を用いると、フランジ付雌コネクタ７６を雄コネクタ５０ａに完全に嵌着するまで押し込んで、当接面７６ｂと電源基板５１とを当接し、その後、ねじ７７を孔７６ｃに挿入し、ねじ７７を締め込むことにより、フランジ付雌コネクタ７６を電源基板５１に止着することができる。したがって、フランジ付雌コネクタ７６を直接指で摘んで、雄コネクタ５０ａから引き抜こうとしたり、配線６０を掴んでフランジ付雌コネクタ７６を雄コネクタ５０ａから引き抜こうとしたりしても、フランジ付雌コネクタ７６が電源基板５１に止着されているので、フランジ付雌コネクタ７６を雄コネクタ５０ａから引き抜くことを阻止することができる。
なお、電源基板５１側に雌コネクタを設け、配線６０端部側に雄コネクタを設けた場合でも、雄コネクタの配線引出面周辺にフランジを設け、このフランジに開設した孔にねじを挿入し、ねじを締め込むことにより、雄コネクタを電源基板５１側に接続した状態を維持することができる。
【００３６】
さらに、コネクタ接続状態維持機構として、即ち、接続状態維持手段として、コネクタの一種であり、雄コネクタおよび雌コネクタの嵌着部分に抜け防止のための形状を備えた所謂ワンウェイコネクタを用いてもよい。
【００３７】
ここで、ワンウェイコネクタの抜け防止形状について説明する。ワンウェイコネクタ８０は、図７（ｃ）に示すように、配線６０を接続する側を雄コネクタ８０ａ、基板に配設する側を雌コネクタ８０ｂとしているコネクタであり、主にプラスチック等の弾性変形可能な材料からなる。
雌コネクタ８０ｂは、楔状の突起８１，８１を、雄コネクタ８０ａを嵌着する窪み部８２の左右各内側面にそれぞれ設ける。これらの突起８１，８１は、雄コネクタ８０ａの差し込み方向に向かって次第に突出する状態で形成され、左右各内側面途中に下向きの平面８１ａを設けて下端としている。そして、これらの突起８１の基部８３，８３には、突起８１の両側面に沿うようにして切欠き８４，８４を形成し、さらに、これらの切欠き８４，８４を雌コネクタ５０ｂ上面から窪み部８２底部まで形成して、両突起基部８３，８３が左右に反って拡がるようにしている。
一方、雄コネクタ８０ａは、楔状の切欠き８５，８５を、雌コネクタ８０ｂに嵌着する嵌着部８６の左右各側面にそれぞれ設ける。これらの切欠き８５，８５は、前記突起８１，８１が嵌合可能な形状を有しており、雌コネクタ８０ｂへの差し込み方向に向かって次第に深くなる状態で形成され、左右各側面途中に下向きの平面８５ａを設けて下端としている。
【００３８】
これらの構成を備えたワンウェイコネクタの雌コネクタ８０ｂを雄コネクタ８０ａに嵌着すると、雌コネクタ８０ｂの両突起８１，８１が雄コネクタ５０ａの嵌着部８６に押され、突起基部８３が弾性変形して左右に反って外側に拡がると共に、突起８１，８１が雄コネクタ８０ａの左右両側面を付勢する。そして、この状態で雄コネクタ８０ａを完全に嵌着するまで押し込むと、突起８１先端が切欠き８５に入ると同時に、突起基部８３の歪みが取れて元の形に戻り、突起８１下端の平面８１ａが切欠き８５下端の平面８５ａに当接する状態になる。したがって、雄コネクタ８０ａを直接指で摘んで、雌コネクタ８０ｂから引き抜こうとしたり、配線６０を掴んで雌コネクタ８０ｂを雄コネクタ８０ａから引き抜こうとしたりしても、切欠き８５に突起８１が引っ掛かっているので、雄コネクタ８０ａを雌コネクタ８０ｂから引き抜くことを阻止することができる。
なお、電源基板５１側に雄コネクタを設け、配線６０端部側に雌コネクタを設けるタイプのワンウェイコネクタでも同様の効果を有する。
【００３９】
ところで、前記した実施形態では、共通基板である電源基板５１と配線６０とを、コネクタ５０を介して接続し、コネクタカバー部材５７等の接続状態維持手段を設けることで、遊技盤５を交換する際に、電源基板５１から配線６０を取り外されることなく継続使用されるようにしたが、本発明はこれに限定されない。
【００４０】
例えば、電源基板５１と遊技盤５との間に配線空間を形成し、電源基板５１に一端を接続した配線６０を上記配線空間に通すことで、遊技盤５を交換する際に、電源基板５１に接続されて配線空間に通した配線６０が取り外されることなく当該配線６０が継続使用されるようにしてもよい。以下、このように構成した第２実施形態について説明する。
【００４１】
図８は、本発明の第２実施形態であるパチンコ遊技機１とカード球貸ユニット２の背面図、図９は電源装置の上部断面拡大図であり、図８中に示した電源装置４０のＡ−Ａ断面拡大図である。
第２実施形態におけるパチンコ遊技機１は、基本的には前記実施形態と同じ構成であるが、電源装置４０について異なる。以下、この電源装置４０について説明する。
【００４２】
第１実施形態では、電源装置４０の下側に配線６０を接続するためのコネクタ５０を設けていたが、第２実施形態では、このコネクタ５０を電源装置４０の上側に設けている。即ち、電源装置４０は、電源基板５１のボックス蓋部５３側に向いた表面の上側に６個の雄コネクタ５０ａ…を上下２段に配設し、上段には４個、下段には２個の雄コネクタ５０ａ…をそれぞれ横に並べた状態で配設する。そして、上段には、前記した４種類の遊技盤固有基板を接続し、下段には、前記した２種類の共通基板を接続する。なお、上記コネクタ５０の上下段方向の配列順序はこれに限らず、上記したものと逆の配列であってもよい。
【００４３】
また、ボックス蓋部５３は、前面上側にて一段後退して形成された平面５３ａに、横長矩形状の開口部５３ｂを、上端に沿うようにして備え、電源基板ボックス５２内部の電源基板５１上部に設けた雄コネクタ５０ａに、配線６０端部に設けた雌コネクタ５０ｂが到達できるようにする。
【００４４】
さらに、電源装置４０の裏面側に設けた導電性プレート５８には、配線６０を貫通させるための開口部９０を、電源装置４０上部よりも上側に位置するように開設する。この開口部９０は、予め複数の配線６０が貫通していても配線６０端部の雌コネクタ５０ｂが十分余裕を持って通過できる程度に開口されたものであればよい。
【００４５】
このような構成にして、配線６０端部の雌コネクタ５０ｂと電源基板５１の雄コネクタ５０ａとを嵌着して、配線６０の一端を電源装置４０に接続すると、配線６０は電源基板５１から電源装置４０上部を通ってから、導電性プレート５８の開口部９０を貫通し、裏機構盤３０と電源装置４０との間に形成された空間（配線空間）９１を通って各制御装置４２〜４７に接続される。したがって、配線６０を電源装置４０の表側から取り外し難くなり、遊技盤５を交換する際に電源基板５１側から配線６０を取り外されることなく、配線６０を継続して使用することができる。
【００４６】
なお、導電性プレート５８の遊技盤５側、即ち配線空間９０側の面上に配線係止部（図示せず）を設けて、配線空間９０に通される配線６０を導電性プレート５８の配線空間側９０に係止してもよい。さらに、前述したようなコネクタカバー部材５７を、配線６０を貫通させた状態で電源基板ボックス５２に取り付け、雌コネクタ５０ｂ…を覆うようにしてもよい。
【００４７】
ところで、上記した２つの実施形態では、電源基板５１表面のボックス蓋部５３側に雄コネクタ５０ａを配設し、この雄コネクタ５０ａを配線６０端部の雌コネクタ５０ｂに嵌着することで、配線６０を電源基板５１に接続していたが、本発明はこれに限定されない。
【００４８】
例えば、図１０に示すように、コネクタ５０を電源装置４０の裏面側（遊技盤５側）に取り付けて、遊技盤５の位置する側から配線６０を電源基板５１に接続してもよい。即ち、電源基板５１は、遊技盤５と重合して配置され、この電源基板５１の遊技盤５側表面の下端に雌コネクタ５０ｂを、前記実施形態と同様に、６個の雄コネクタ５０ａ…を上下２段に分けて配設し、上段には４個、下段には２個の雄コネクタ５０ａ…をそれぞれ横に並べた状態で配設する。そして、電源基板ボックス５２のボックス底部５４には、裏面下側に雌コネクタ５０ｂが貫通できる程度の開口部９５を、雄コネクタ５０ａと対向する位置に開設する。さらに、導電性プレート５８にも、同様に、雌コネクタ５０ｂが貫通できる程度の開口部９６を、ボックス底部５４の開口部９５と対向する位置に開設する。
【００４９】
このような構成にして、雌コネクタ５０ｂと雄コネクタ５０ａとを嵌着して、配線６０の一端を電源基板５１に接続すると、配線６０端部の雌コネクタ５０ｂはボックス底部５４および導電性プレート５８を、それぞれに設けた開口部９５，９６の位置で貫通する状態になる。そして、配線６０は、導電性プレート５８と遊技盤５との間の空間を通ることができる。したがって、雌コネクタ５０ｂが電源装置４０と裏機構盤３０との間の空間に隠れるようにして位置するので、雌コネクタ５０ｂが見え難く、位置を確認しにくくなり、遊技盤５の交換時に電源装置４０側の雌コネクタ５０ｂを取り外すことを防ぐことができる。
【００５０】
また、上記した各実施形態における電源基板ボックス５２自体に配線６０を保持する配線保持部９７を設けてもよい。例えば、電源基板ボックス５２は、図１１に示すように、ボックス蓋部５３の右側面下端から逆コの字状に形成した配線保持部９７を、ボックス右側面と対向する状態で設ける。この配線保持部９７は、内側空部を配線保持領域９８とし、上部に配線６０を差し入れられる程度の開口９９を設けて、この開口９９を配線保持領域９８と連通して設けられている。
このようにすると、開口９９から配線６０を差し入れて、配線保持領域９８を貫通する状態で配線６０を配線保持部９７に保持することができる。したがって、配線６０は、電源基板ボックス５２の近く、即ち、電源基板５１近傍にある部分を電源基板ボックス５２側面に保持されるので、配線６０に設けられたコネクタ５０だけでなく、配線６０の電源基板５１近傍部分も電源ボックスに保持することになり、遊技盤５交換時に配線６０が電源基板５１側から取り外されることを一層防ぐことができる。
【００５１】
さらに、配線６０の被覆膜に着色したり、配線６０の電源基板５１近傍部分にシールやタグ等の識別用部品を取り付けたりして、遊技盤５の交換作業時に、交換作業者が電源基板５１から取り外さない配線６０を一目にして識別できるようにしてもよい。
【００５２】
また、上記配線６０に螺旋コード（所謂ばね配線）を適用すると、配線６０を遊技盤固有基板から取り外した際に、配線６０の見かけ上の長さが縮むので、再び配線６０を接続するまで、コンパクトにした状態でパチンコ遊技機１に取り付けておくことができるので好ましい。
【００５３】
本発明は、パチンコ遊技機に限らず、遊技盤交換時に遊技盤と共に交換する基板と、遊技盤交換に拘らず継続使用する基板と、これらの基板にコネクタを介して電気的に接続する配線とを備えた遊技機であれば適用できる。例えば、アレンジボール遊技機や雀球遊技機にも適用できる。
【００５４】
また、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００５５】
【発明の効果】
以上説明したように本発明によれば、以下の効果を奏する。
すなわち、遊技機枠に交換可能な状態で装着された遊技盤と、遊技盤の交換時に遊技盤と共に交換される遊技盤固有基板と、遊技盤の交換に拘らず継続使用可能な共通基板と、遊技盤固有基板及び共通基板を電気的に接続し、両端部に配線側コネクタが設けられ、遊技盤固有基板及び共通基板に対して離脱可能な配線とを備えた遊技機において、共通基板は、ボックス底部にボックス蓋部を開閉可能に係止して構成された共通基板ボックスに内包され、ボックス蓋部には、共通基板に配設されて配線側コネクタを嵌着可能な基板側コネクタに対応した位置に開口部を設け、配線は、配線側コネクタを挿通不能な配線開口部を開設したコネクタカバー部材に、配線開口部を通じて貫通され、配線側コネクタを基板側コネクタに嵌着させた状態で前記コネクタカバー部材を前記ボックス蓋部に止着することにより、共通基板に接続されている配線が通常取り外し操作によっては取り外されることなく当該配線が継続使用されるようにしたので、遊技盤を交換する際に、共通基板に接続されている配線が、コネクタを直接指で摘んで引き抜くという通常取り外し操作によっては取り外されることなく当該配線を継続使用することができる。
【図面の簡単な説明】
【図１】
パチンコ遊技機の正面図である。
【図２】
パチンコ遊技機の背面図である。
【図３】
パチンコ遊技機の電源供給関係図である。
【図４】
遊技盤交換時の交換部品を取り外した状態のパチンコ遊技機の背面図である。
【図５】
電源装置の正面図である。
【図６】
（ａ）は電源装置の下部断面拡大図、（ｂ）はコネクタカバー部材の正面図である。
【図７】
コネクタ接続状態維持機構の例を示した図であり、(ａ)は爪部材を備えた電源装置の下部断面拡大図、（ｂ）はフランジ付コネクタを備えた電源装置の下部断面拡大図、（ｃ）はワンウェイコネクタの正面図、（ｄ）はワンウェイコネクタの雌コネクタの平面図である。
【図８】
第２実施形態のパチンコ遊技機の背面図である。
【図９】
第２実施形態における電源装置の上部断面拡大図である。
【図１０】
第３実施形態の電源装置の下部断面拡大図である。
【図１１】
電源基板ボックスに備えられた配線保持部の拡大図である。
【符号の説明】
１  パチンコ遊技機
２  カード球貸ユニット
３  前面枠
４  遊技盤収納フレーム
５  遊技盤
６  表示装置
７  大入賞口
８  一般入賞口
９  遊技領域
１０  装飾ランプ
１１  ガラス枠
１２  開閉パネル
１３  上皿
１４  下皿
１５  発射操作ハンドル
１６  灰皿
２０  カード挿入部
２１  操作パネル
２２  カード残高表示部
２３  球貸スイッチ
２４  カード返却スイッチ
３０  裏機構盤
３１  球貯留タンク
３２  球導出樋
３３  球排出ユニット
３４  流路切換ユニット
４０  電源装置
４１  発射装置
４２  遊技制御装置
４３  表示制御装置
４４  装飾制御装置
４５  音制御装置
４６  排出制御装置
４７  発射制御装置
５０  コネクタ
５０ａ  雄コネクタ
５０ｂ  雌コネクタ
５１  電源基板
５２  電源基板ボックス
５３  ボックス蓋部
５３ａ  平面
５３ｂ  開口部
５３ｃ  バックアップデータリセットスイッチ用開口部
５４  ボックス底部
５５  係止片
５６  止め具
５７  コネクタカバー部材
５８  導電性プレート
５９  バックアップデータリセットスイッチ
６０  配線
６０ａ  遊技盤固有基板側
６０ｂ  共通基板側
６５  挿通開口部
６６  耳片
６７  孔
６８  コネクタ開口部
６９  配線開口部
７５  爪部材
７５ａ  爪先
７６  フランジ付雌コネクタ
７６ａ  フランジ
７６ｂ  当接面
７６ｃ  孔
７７  ねじ
８０  ワンウェイコネクタ
８０ａ  雄コネクタ
８０ｂ  雌コネクタ
８１  突起
８１ａ  平面
８２  窪み部
８３  突起基部
８４  切欠き
８５  切欠き
８５ａ  平面
８６  嵌着部
９０  開口部
９１  配線空間
９５  開口部
９６  開口部
９７  配線保持部
９８  配線保持領域
９９  開口